(57)【特許請求の範囲】
【請求項１】
通貨引出物品に取り付け可能な識別体であって、
印刷可能な基材を有し、
前記基材に、
光学的読み取り手段により読み取り可能な識別コードと、
前記識別コードに対応する識別情報とが、予め設けられており、
前記識別コードは複数の種類が準備されており、複数の種類の前記識別コードにそれぞれ対応する前記識別情報が設けられており、
複数の前記識別体が一組とされて識別体セットをなしており、
一の前記識別体セットに含まれる複数の前記識別体には、それぞれ異なる種類の前記識別コード及び前記識別コードに対応する前記識別情報が設けられている識別体を貼付された前記通貨引出物品と、
端末装置とを有し、
前記通貨引出物品は、通貨引出装置と連携し、前記通貨引出装置に暗証番号を入力することで通貨を引き出し可能であり、
前記端末装置が、
前記暗証番号を入力可能な入力部と、
前記識別コードの読み取りが可能なカメラ部と、
前記カメラ部により撮影された画像を格納する画像格納部とを備え、
前記画像格納部には、前記識別体の前記識別コードと紐付けられて前記暗証番号が格納されており、
前記カメラ部により前記識別コードを読み取ると、当該識別コードに紐付けられた前記暗証番号を表示させる、暗証番号管理システム。
【請求項２】
前記識別体は、前記基材が、表裏をなす面のうちの一方の面に粘着層を備えるラベル体により構成されており、
複数の前記識別体が、１枚の剥離紙に対して複数の前記識別体が配置されて一の前記識別体セットをなしている、請求項１に記載の暗証番号管理システム。
【発明の詳細な説明】
【技術分野】
【０００１】
本発明は、物品を管理するための二次元コード等が設けられたラベル等の識別体、及び識別体を用いて物品の管理を行うシステムに関する。
【背景技術】
【０００２】
近年、物品を管理するツールとして、二次元コードやＲＦＩＤタグなど、様々なツールが提供されている。例えば、下記特許文献１には、物品を管理するためのＲＦＩＤタグが開示されている。
【先行技術文献】
【特許文献】
【０００３】
【特許文献１】特開２０１９−８６９２６号公報
【発明の概要】
【発明が解決しようとする課題】
【０００４】
ここで、ＲＦＩＤタグは、多数かつ多種類の物品を効率的に管理し得るものの、専用のリーダライタなどを要するため、家庭内など小規模の範囲で手軽に利用できるものであるとは言えない。また、二次元コードについても、印字装置が必要となり、さらに印字された二次元コードと内容とを紐付けるシステムが必要となり、家庭内の物品管理に気軽に利用できるものであるとは言えなかった。
【０００５】
その一方で、家庭内など、規模の小さい範囲において物品管理するものについては、事業で管理が必要とされる数百や数千といった物品の数と比較して、さほど多い訳ではない。しかしながら、箱などに収容された物品を探す際に、多数の箱を開封して中身を確認することとなるため、このような煩雑な作業を軽減することが求められていた。
【０００６】
そこで本発明は、収容体に収容された物品を手軽に確認することができる識別体、物品管理システム、及び暗証番号管理システムの提供を目的とした。
【課題を解決するための手段】
【０００７】
（１）上述の課題を解決すべく提供される本発明の識別体は、物品を収容可能な収容体に取り付け可能な識別体であって、印刷可能な基材を有し、前記基材に、光学的読み取り手段により読み取り可能な識別コードと、前記識別コードに対応する識別情報とが、予め設けられており、前記識別コードは複数の種類が準備されており、複数の種類の前記識別コードにそれぞれ対応する前記識別情報が設けられているものである。
【０００８】
本発明の識別体によれば、収容体に収容された物品を手軽に確認することができる。より詳細に説明すると、本発明の識別体を収容体に貼付して、ユーザがスマートフォン（端末装置）等の読み取り機能を用いて識別コードを読み取り、識別コードに対応した画像（収容体の中身の物品の写真）を表示させることが可能となる。このようにして、本発明の識別体によれば、家庭内などの物品管理に貢献することができる。
【０００９】
さらに、本発明の識別体は、複数の前記識別体が一組とされて識別体セットをなしており、一の前記識別体セットに含まれる複数の前記識別体には、それぞれ異なる種類の前記識別コード及び前記識別コードに対応する前記識別情報が設けられているものであるとよい。
【００１０】
本発明の識別体によれば、収容体に収容された物品を手軽に確認することができる。より詳細に説明すると、本発明の識別体では、複数の識別体が予め１セットとされており、複数の識別体には、それぞれ異なる種類の識別コードが予め設けられている。そのため、本発明の識別体セットに係る識別体を複数の収容体にそれぞれ貼付して、ユーザがスマートフォン（端末装置）等の読み取り機能を用いて識別コードを読み取り、識別コードに対応した画像（収容体の中身の物品の写真）を表示させることが可能となる。このようにして、本発明の識別体によれば、それぞれの収容体に収容された物品の中身を、収容体を開けることなく個別に確認することができる。その結果、本発明の識別体によれば、家庭内などの物品管理に貢献することができる。
【００１１】
（２）本発明の識別体は、前記基材が、表裏をなす面のうちの一方の面に粘着層を備えるラベル体により構成されており、複数の前記識別体が、１枚の剥離紙に対して複数の前記識別体が配置されて一の前記識別体セットをなしているものであるとよい。
【００１２】
上述の構成によれば、手間をかけずに識別体を収容体に貼付することができる。
【００１３】
（３）本発明の識別体は、前記識別体セットが、一列に複数の前記識別体が配置されており、１枚の前記剥離紙に対して複数列の前記識別体が配置されているものとすることができる。
【００１４】
（４）本発明の識別体は、前記基材が、暗色（例えば黒色）の下地色とされており、前記基材に対して設けられた印刷層が明色（例えば白色）で構成されて、前記識別コード及び前記識別情報が形成されているものであるとよい。
【００１５】
（５）本発明の物品管理システムは、上述したいずれかの識別体と、端末装置とを有し、前記端末装置が、写真の撮影、及び前記識別コードの読み取りが可能なカメラ部と、前記カメラ部により撮影された画像を格納する画像格納部とを備え、前記画像格納部には、前記識別体の前記識別コードと紐付けられて前記画像が格納されており、前記カメラ部により前記識別コードを読み取ると、当該識別コードに紐付けられた前記画像を表示させるものである。
【００１６】
本発明の物品管理システムによれば、収容体に収容された物品を手軽に確認することができる。より詳細に説明すると、本発明の物品管理システムに係る識別体を収容体に貼付して、ユーザがスマートフォン（端末装置）等の読み取り機能を用いて識別コードを読み取り、識別コードに対応した画像（収容体の中身の物品の写真）を表示させることが可能となる。このようにして、本発明によれば、家庭内などの物品管理に貢献することができる。
【００１７】
（６）本発明の暗証番号管理システムは、上述したいずれかの識別体を貼付された通貨引出物品と、端末装置とを有し、前記通貨引出物品は、通貨引出装置と連携し、前記通貨引出装置に暗証番号を入力することで通貨を引き出し可能であり、前記端末装置が、前記暗証番号の入力が可能な入力部と、前記識別コードの読み取りが可能なカメラ部と、前記カメラ部により撮影された画像を格納する画像格納部とを備え、前記画像格納部には、前記識別体の前記識別コードと紐付けられて前記暗証番号が格納されており、前記カメラ部により前記識別コードを読み取ると、当該識別コードに紐付けられた前記暗証番号を表示させることを特徴とする。
【００１８】
本発明の暗証番号管理システムによれば、銀行通帳やキャッシュカードのような通貨引出物品に、識別コードを貼付すると共に、識別コードには、貼付した銀行通帳やキャッシュカードに付随する暗証番号を入力部から入力しておく。そのようにすれば、現金自動預け払い機（ＡＴＭ：Ａｕｔｏｍａｔｉｃ  Ｔｅｌｌｅｒ  Ｍａｃｈｉｎｅ）のような通貨引出装置から通貨引出物品により通貨を引き出す際に必要な暗証番号を端末装置に識別コードに紐づけて記憶することができる。そのようにすれば、暗証番号の確認が容易にできる。特に、通貨引出物品に付随する暗証番号は、通貨引出物品が複数ある場合は、各通貨引出物品ごとに異なる暗証番号を付随させることが望ましく、複数の通貨引出物品を管理するうえで、暗証番号の確認が容易にすることは、非常に利便性に富む。さらに、画像格納部が、外部の情報処理装置と通信できない状態とすることにより、端末装置のユーザのみが端末装置を利用可能とすることにより、暗証番号の秘匿性も保持できる。
【発明の効果】
【００１９】
本発明によれば、収容体に収容された物品や暗証番号を手軽に確認することができる識別体、物品管理システム、及び暗証番号管理プログラム提供することができる。
【図面の簡単な説明】
【００２０】
【図１】本発明の第１の実施形態に係る識別ラベルが貼付された収容体、及び識別ラベルを用いた物品管理システムを示す図である。
【図２】図１の識別ラベルに係る識別ラベルセットを示す平面図である。
【図３】図１の識別ラベルを示す図である。
【図４】図１の物品管理システムの端末装置を示すブロック図である。
【図５】図４の端末装置に構成される物品管理アプリにおける機能ブロック図である。
【図６】図１の物品管理システムにおける画像登録処理を示す図である。
【図７】図１の物品管理システムにおける表示処理を示す図である。
【図８】本発明の第２の実施形態に係る識別ラベルが貼付されたキャッシュカード、及び識別ラベルを用いた暗証番号管理システムを示す図である。
【発明を実施するための形態】
【００２１】
まず、本発明の第１の実施形態に係る識別ラベル１０（識別体）、及び物品管理システムＳについて、図面を参照しつつ説明する。なお、図１に示すとおり、物品管理システムＳでは、識別ラベル１０が用いられる。以下の説明では、先ず識別ラベル１０について説明し、その後物品管理システムＳについて説明する。
【００２２】
＜識別ラベルについて＞
図１に示すとおり、識別ラベル１０は、箱Ｂａ（収容体）などに貼付可能なタックラベル（シール）である。識別ラベル１０は、３０枚の識別ラベル１０が１枚の剥離紙３０に配置された状態（識別ラベルセット１）で、ユーザに対して販売等の譲渡が行われる。
【００２３】
図３に示すとおり、識別ラベル１０は、ラベル体により構成されている。図３（ｂ）に示すとおり、識別ラベル１０は、基材１２の一方の面（貼付面１０ｂ）に粘着層１４が設けられており、他方の面（意匠面１０ａ）に印刷層１６が設けられている。
【００２４】
図２に示すとおり、識別ラベル１０は、収容体Ｂ（箱Ｂａなど）に貼付される前の状態では、剥離紙３０に貼付されている。本第１の実施形態では、１枚の剥離紙３０に対して３０枚の識別ラベル１０が配されている。すなわち、本第１の実施形態の識別ラベル１０は、１枚の剥離紙３０に対して３０枚の識別ラベル１０が一組の識別ラベルセット１をなしている。
【００２５】
図３（ａ）に示すとおり、識別ラベル１０には、識別コード２０と、識別情報２２とが設けられている。より具体的には、識別ラベル１０の意匠面１０ａには、印刷層１６が形成されることで、識別コード２０（二次元コード）と、識別情報２２とが形成されている。
【００２６】
識別ラベル１０は、基材１２として、黒色（暗色）の下地色のタック紙が用いられている。また、識別ラベル１０は、黒色の下地色タック紙に対して、白色（明色）のインクで印刷されることにより、識別コード２０や識別情報２２等が形成されている。このようにすることで、黒色を印刷できない家庭用プリンター等では、同様の層構成の識別体１０を作成することができず、識別体の模倣を防止することができる。
【００２７】
なお、本第１の実施形態では、黒色の下地色のタック紙を基材１２とした例を示したが、本発明の識別体はこれに限定されない。例えば、本発明の識別体は、白色の下地色のタック紙を基材として採用してもよい。
【００２８】
また、本発明の識別体は、ミラーコート、上質紙等の紙材、あるいは、ユポ、ＰＰ等のフィルム材を基材として用いてもよい。
【００２９】
識別コード２０は、所定の情報を含む二次元コードである。より具体的には、識別コード２０は、所定のアドレスを示す情報であり、本第１の実施形態では、後述する端末装置１００の画像格納部２１０に設けられたいずれかの格納領域Ｒのアドレスを示す情報とされている。本第１の実施形態の識別ラベル１０の識別コード２０は、マトリクス型二次元コードであるＱＲコード（登録商標）とされている。本発明の識別ラベル１０（識別体）は、予め識別コード２０及び識別情報２２が設けられた状態で、ユーザに対する販売などの譲渡が行われる。言い方を換えれば、本発明の識別ラベル１０（識別体）は、識別コード２０に含まれている情報が、予め設定された状態とされている。
【００３０】
本第１の実施形態の識別ラベル１０では、３０種類の識別コード２０がある。より具体的には、図２に示すとおり、識別ラベルセット１（識別体セット）には、それぞれ異なる種類（３０種類）の識別コード２０に係る識別ラベル１０が含まれている。なお、以下の説明では、識別コード２０の種類を「コード種別Ｃ」と記載して説明する場合がある。また、３０種類のコード種別Ｃの各種別を、「０１」〜「３０」の数字で記載して説明する場合がある。
【００３１】
本第１の実施形態の識別ラベル１０では、識別コード２０としてマトリクス型二次元コードであるＱＲコード（登録商標）を採用した例を示したが、本発明の識別体は本第１の実施形態に限定されない。例えば、本発明の識別体の識別コードは、一次元コード（例えば、バーコード）であってもよいし、マトリクス型の二次元コード以外の二次元コード、あるいはカラーコード等を用いることができる。
【００３２】
識別情報２２は、識別コード２０の種別（コード種別Ｃ０１〜３０）に対応する番号である。本第１の実施形態の識別ラベル１０の識別情報２２には、３０種類の番号がある。言い方を換えれば、本第１の実施形態の識別ラベル１０には、番号種別Ｎ０１〜３０の３０種類の識別情報２２のうち、いずれかの番号種別Ｎに係る識別情報２２がある。
【００３３】
識別ラベルセット１の１シートに配置される識別ラベル１０の識別情報２２は、全て異なる番号とされている。より具体的には、１つの識別ラベルセット１には、「０１」〜「３０」の各番号が付与された識別ラベル１０が各１つずつ配置されている。
【００３４】
また、上述のとおり、識別情報２２と識別コード２０とは対応している。例えば、番号Ｎが「０１」の識別情報２２は、コード種別Ｃが「０１」の識別コード２０に対応している。また、番号種別Ｎが「０２」の識別情報２２は、コード種別Ｃ「０２」の識別コード２０に対応している。このように、識別情報２２及び識別コード２０は、各種類に対応している。
【００３５】
なお、本第１の実施形態の識別ラベル１０では、３０種類の番号種別Ｎのうちいずれかの番号種別Ｎに係る識別情報２２が設けられたものとした例を示したが、本発明の識別ラベルは本第１の実施形態に限定されない。
【００３６】
例えば、本発明の識別ラベルは、識別情報としてアルファベットや平仮名などの文字を用いてもよいし、記号、図柄等であってもよい。本発明の識別ラベルの識別情報は、複数種類の中から特定のものを識別し得るものであれば、文字、数字、記号、図柄等いかなるものであってもよい。
【００３７】
識別ラベル１０は、製造時において、ロール状のタック紙を送り出しつつ印刷が行われる。図２に示すとおり、識別ラベル１０は、剥離紙３０の幅方向Ｗに交差する方向に送り出されて印刷が行われる。なお、以下の説明では、識別ラベル１０の製造時における送り出し方向を、単に「送り方向Ｘ」と記載して説明する場合がある。
【００３８】
図２に示すとおり、本第１の実施形態では、３０枚の識別ラベル１０を一組として、識別ラベルセット１をなしている。より具体的には、識別ラベルセット１は、幅方向Ｗに沿って３つの識別ラベル１０が列をなし、送り方向Ｘに沿って１０列の識別ラベル１０が配置されている。
【００３９】
なお、本第１の実施形態では、識別体の一例として、粘着層１４を備えるラベル体により識別ラベル１０が構成される例を示したが、本発明の識別体は本第１の実施形態に限定されない。例えば、本発明の識別体は、収容体に対して取り付け可能なものであれば、いかなる形態としてもよい。例えば、本発明では、粘着層を有しない識別体として、紐体などを用いて収容体に取り付け可能としてもよい。
【００４０】
また、識別ラベル１０の粘着層１４は、基材１２の貼付面１０ｂの全域に形成されたものであってもよいし、基材１２の貼付面１０ｂの一部に形成されたものであってもよい。さらに、識別ラベル１０の粘着層１４は、再剥離可能なものであってもよいし、再剥離が困難なものであってもよい。
【００４１】
＜物品管理システムについて＞
続いて、本発明の第１の実施形態に係る物品管理システムＳについて説明する。図１に示すとおり、物品管理システムＳでは、識別ラベル１０と、端末装置１００とが用いられる。
【００４２】
物品管理システムＳは、家庭内や店舗などにおいて、収容体Ｂの中身を管理するためのものである。物品管理システムＳによれば、収容体Ｂを開けることなく、複数の収容体Ｂに収容された中身を把握することができる。
【００４３】
物品管理システムＳの端末装置１００には、所定のアプリケーションプログラム（物品管理アプリ２００）がインストールされている。
【００４４】
端末装置１００は、主に、スマートフォン、タブレット端末、ノートＰＣ等の携帯型の情報処理装置（以下、「携帯型端末」とも称す。）である。
【００４５】
端末装置１００は、カメラ機能や、二次元コード等のコードを光学的に読み取る読み取り機能を備えている。
【００４６】
図４は、本実施の形態に係る物品管理システムＳにおいて用いられる端末装置１００のハードウエア構成を模式的に示すブロック図である。図４に示すとおり、本実施の形態に係る物品管理システムＳで用いられる端末装置１００は、ハードウエア構成として、ＣＰＵ（Ｃｅｎｔｒａｌ  Ｐｒｏｃｅｓｓｉｎｇ  Ｕｎｉｔ）１１０、ＲＡＭ（Ｒａｎｄｏｍ  Ａｃｃｅｓｓ  Ｍｅｍｏｒｙ）１２０、ＲＯＭ（Ｒｅａｄ  Ｏｎｌｙ  Ｍｅｍｏｒｙ）１３０、ＨＤＤ（Ｈａｒｄ  Ｄｉｓｋ  Ｄｒｉｖｅ）１４０、表示装置１５０、操作装置１６０、カメラ部１７０、およびＩ／Ｆ１８０を含み、それぞれがバスを介して接続されている。
【００４７】
このようなハードウエア構成において、ＲＯＭ１３０、ＨＤＤ１４０または光ディスク等の記憶媒体に格納されたプログラムがＲＡＭ１２０に読み出され、ＣＰＵ１１０がそれらのプログラムに従って演算を行うことにより、ソフトウエア制御部が構成される。そのようなソフトウエア制御部とハードウエアとの組み合わせによって、本実施の形態に係る物品管理システムＳを実現する端末装置１００の機能ブロックが構成される。
【００４８】
本実施形態において、表示装置１５０および操作装置１６０は、いわゆるタッチパネルディスプレイが採用されている。したがって、表示装置１５０は、端末装置１００の内部に記憶された情報を表示可能である。また、操作装置１６０は、ユーザがディスプレイを操作することで、操作可能であり、テキスト情報等を入力可能な入力部として機能する。
【００４９】
物品管理アプリ２００は、本実施の形態に係る物品管理システムＳの機能を端末装置１００において作動させるために、端末装置１００にインストールされて動作するソフトウエアプログラムによって構成される。物品管理アプリ２００は、例えば、物品管理システムＳのサービスを提供するサービス提供者のサーバ（図示を省略）から、ダウンロードする等して取得することができる。
【００５０】
図５は、本実施の形態に係る物品管理システムＳにおける端末装置１００の機能構成を示す図である。物品管理アプリ２００が端末装置１００にインストールされて動作することにより、図５に示す機能ブロックが構成される。図５に示すとおり、物品管理アプリ２００がインストールされた端末装置１００には、画像格納部２１０、登録処理部２２０、及び読取処理部２３０が構成される。
【００５１】
画像格納部２１０には、カメラ部１７０により撮影された画像Ｐが格納される記憶領域である。画像格納部２１０には、複数の格納領域Ｒが設けられている。より具体的に説明すると、図５に示すとおり、画像格納部２１０には、格納領域Ｒ０１〜３０の各領域が設けられている。
【００５２】
格納領域Ｒ０１〜３０の各領域は、識別ラベル１０に設けられた識別コード２０（コード種別Ｃ０１〜３０）に対応している。例えば、コード種別Ｃ０１の識別コード２０が示すアドレスは格納領域Ｒ０１のアドレスに対応しており、コード種別Ｃ０２の識別コード２０が示すアドレスは格納領域Ｒ０２のアドレスに対応している。このように、画像格納部２１０には、識別ラベル１０の３０種類の識別コード２０に対して、それぞれ対応する格納領域Ｒが設けられている。
【００５３】
登録処理部２２０は、ユーザにより撮影された物品Ｇの画像を画像格納部２１０に格納する処理を行う。より具体的に説明すると、登録処理部２２０は、カメラ部１７０により撮影された画像を、ユーザの入力操作に応じて、画像格納部２１０の該当する格納領域Ｒに格納する。例えば、撮影された画像Ｐを登録する際に、ユーザが入力受付部２４１に「０１」の入力が行われた場合には、格納領域Ｒ０１に当該画像Ｐを格納する。
【００５４】
読取処理部２３０は、カメラ部１７０により撮影された識別コード２０を読み取って、画像格納部２１０のアドレス（格納領域Ｒ０１〜３０のいずれかのアドレス）を参照し、当該領域に格納されている画像を表示させる。
【００５５】
上述の説明から明らかなとおり、本第１の実施形態の物品管理システムＳでは、収容体Ｂに収容された物品Ｇの画像Ｐを、ユーザの端末装置１００に格納する。そのため、ユーザが収容体Ｂの中身の物品Ｇを確認しようとする際に、端末装置１００をネットワークに接続することを要さず、迅速に収容体Ｂの中の物品Ｇを確認することができる。
【００５６】
続いて、物品管理システムＳを用いて物品を管理する方法（物品管理方法）について、図面を参照しつつ説明する。物品管理システムＳでは、物品Ｇ（収容対象物）と識別コード２０（二次元コード）とを紐付ける処理（画像登録処理）と、識別コード２０の情報から物品登録処理で紐付けられた物品Ｇの画像を表示させる処理（表示処理）とが実行可能とされている。
【００５７】
先ず、物品Ｇと識別コード２０とを紐付ける処理（対象物登録処理）について説明する。対象物登録処理では、ユーザが収容体Ｂに収容しようとする物品Ｇを、端末装置１００の撮影アプリ（カメラアプリ）を起動させて撮影する。
【００５８】
具体的には、図６（ａ）に示すとおり、ユーザが物品管理アプリ２００を起動させると、表示装置１５０には、写真登録ボタン２４０が表示される。ユーザの操作により、写真登録ボタン２４０がタップ等されると、カメラ部１７０により画像の撮影が行われ、次いで識別番号の入力を受け付ける入力受付部２４１が表示される（図６（ｂ）参照）。
【００５９】
ユーザが入力受付部２４１に、識別ラベル１０の識別情報２２に係る番号種別Ｎを入力すると、当該番号に対応する格納領域Ｒに、その画像Ｐが格納される。このように、物品管理システムＳでは、識別情報２２とユーザの操作により選択された画像Ｐとが紐付けられる。
【００６０】
その後、収容体Ｂに物品Ｇを収容するとともに、当該収容体Ｂに物品Ｇの画像Ｐを登録した際に入力した識別情報２２が記載された識別ラベル１０を収容体Ｂに貼付する。例えば、物品Ｇが花束Ｇａである場合、花束Ｇａをアップロードした際に入力した識別情報２２に係る番号（Ｑ０１）が記載された識別ラベル１０を収容体Ｂに貼付する。
【００６１】
次に、収容体Ｂに収容された物品Ｇを確認する場合（表示処理）について説明する。
【００６２】
端末装置１００の物品管理アプリ２００を起動させ、識別コード２０を読み込むと、識別コード２０に紐付けられた画像Ｐが表示装置１５０に表示される。
【００６３】
例えば、図７に示すとおり、番号種別Ｎ０１に係る識別ラベル１０の識別コード２０を読み取ると、予め登録処理において登録された画像Ｐ（図７の例では花束Ｇａの画像Ｐａ）が表示される。また、番号種別Ｎ０４に係る識別ラベル１０の識別コード２０を読み取ると、予め登録処理において登録された画像Ｐ（図７の例では運動靴Ｇｂの画像Ｐｂ）が表示される。さらに、番号種別Ｎ０６に係る識別ラベル１０の識別コード２０を読み取ると、予め登録処理において登録された画像Ｐ（図７の例ではパンプスＧｃの画像Ｐｃ）が表示される。このように、物品管理システムＳによれば、収容体Ｂを開けることなく、中身の物品Ｇを確認することができる。
【００６４】
このように、物品管理システムＳでは、端末装置１００に構成された画像格納部２１０の各格納領域Ｒと、識別情報２２及び識別コード２０とが紐付けられている。そのため、物品管理システムＳによれば、ユーザが物品Ｇの画像Ｐを登録する際に、識別情報２２に係る番号を入力することで、識別コード２０と画像Ｐとが紐付けられる。その結果、ユーザが画像Ｐを登録する際に、識別コード２０を読み取ることを要さず、手間をかけずに画像Ｐと識別コード２０の紐付けを行うことができる。
【００６５】
次に、本発明の第２の実施形態に係る識別ラベル１０（識別体）、及び暗証番号管理システムＴについて、図面を参照しつつ説明する。なお、図１０に示すとおり、暗証番号管理システムＴでは、第１の実施形態に係る識別ラベル１０および端末装置１００と同様の識別ラベルおよび端末装置が用いられる。したがって、以下の説明では、識別ラベル１０および端末装置１００の詳細な説明については省略し、暗証番号管理システムＴについてのみ詳細に説明する。
【００６６】
＜暗証番号管理システムについて＞
【００６７】
暗証番号管理システムＴは、識別ラベル１０（識別体）を貼付されたキャッシュカードＣと、端末装置１００とを有する。キャッシュカードは、現金自動預け払い機（ＡＴＭ：Ａｕｔｏｍａｔｉｃ  Ｔｅｌｌｅｒ  Ｍａｃｈｉｎｅ）のような通貨引出装置と連携し、前記通貨引出装置に暗証番号を入力することで通貨を引き出し可能である。
【００６８】
暗証番号管理システムＴを用いて暗証番号を管理する方法（暗証番号管理方法）について説明する。暗証番号管理システムＴでは、キャッシュカードＣ（通貨引出物品）と識別コード２０（二次元コード）とを紐付ける処理（暗証番号登録処理）と、識別コード２０の情報から暗証番号登録処理で紐付けられた暗証番号を表示させる処理（表示処理）とが実行可能とされている。
【００６９】
先ず、暗証番号と識別コード２０とを紐付ける処理（暗証番号登録処理）について説明する。暗証番号登録処理では、端末装置１００の入力部（操作装置１６０）から暗証番号を入力した後、ユーザが入力受付部２４１に、識別ラベル１０の識別情報２２に係る番号種別Ｎを入力すると、当該番号に対応する格納領域Ｒに、その暗証番号が格納される。これにより、暗証番号管理システムＴでは、識別情報２２とユーザの操作により選択された暗証番号とが紐付けられる。ただし、暗証番号登録処理においては、暗証番号が、ユーザの選択した識別ラベル１０の識別情報２２に係る番号種別Ｎと対応して格納されれば、他の処理により行われてもよい。
【００７０】
その後、当該識別ラベル１０を入力した暗証番号に対応するキャッシュカードＣに貼付する。ただし、識別ラベル１０を貼付した後、端末装置１００に暗証番号の入力を行うようにしてもよい。
【００７１】
さらに、物品管理方法と同様の手順でキャッシュカードＣを撮影し、暗証番号と同じ格納領域Ｒに格納されるようにしてもよい。そのようにすれば、暗証番号の付随するキャッシュカードＣを間違えることがなくなる。
【００７２】
次に、キャッシュカードＣに付随する暗証番号を確認する場合（表示処理）について説明する。
【００７３】
端末装置１００の物品管理アプリ２００を起動させ、識別コード２０を読み込むと、識別コード２０に紐付けられた暗証番号が表示装置１５０に表示される。
【００７４】
なお、本実施形態において、暗証番号は、端末装置１００の格納領域Ｒに格納されており、格納領域Ｒは、他の情報処理装置から情報を取り出すことはできない構成とされている。すなわち、格納領域Ｒは、端末装置１００を操作することでのみ情報を取得できる。したがって、暗証番号を、端末装置１００のユーザ以外から取得されることはない。
【００７５】
なお、本発明の物品管理プログラムは、前記端末装置に、前記識別体の前記識別コードと紐付けて、前記画像格納部に前記画像を格納する画像登録処理と、前記識別コードに紐付けられて前記画像格納部に格納された前記画像を表示させる表示処理とを実行させるものであってもよい。
【００７６】
本発明の物品管理プログラムによれば、収容体に収容された物品を手軽に確認することができる。より詳細に説明すると、本発明の物品管理システムに係る識別体を収容体に貼付して、ユーザがスマートフォン（端末装置）等の読み取り機能を用いて識別コードを読み取り、識別コードに対応した画像（収容体の中身の物品の写真）を表示させることが可能となる。このようにして、本発明によれば、家庭内などの物品管理に貢献することができる。
【００７７】
なお、上述の第１の実施形態では、物品Ｇを収容する収容体Ｂの一例として、蓋体を備える箱Ｂａを示したが、識別ラベル１０が貼付される収容体Ｂは、袋状のもの、封筒等、いかなるものであってもよい。
【００７８】
なお、上述の第２の実施形態では、通貨引出物品としてキャッシュカードを例に説明してきた。しかし、通貨引出物品は、通貨引出装置と連携し、前記通貨引出装置に暗証番号を入力することで通貨を引き出し可能であれば、他の物品であってもよい。例えば、通貨引出物品は、銀行通帳、クレジットカード、ポイントカード等であってもよい。
【００７９】
また、上述の第１の実施形態に係る物品管理システムＳでは、ユーザの端末装置１００に物品Ｇの画像Ｐを格納する物品管理アプリ２００を一例として示したが、物品Ｇの画像Ｐを管理者のサーバ等に格納するもの（クラウド型）としてもよい。しかし、ユーザの端末装置１００に物品Ｇの画像Ｐおよび暗証番号を格納する方が、端末装置１００は、サーバ等との通信速度を考慮しないため、応答速度が速く利便性が高くなる。
【００８０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【産業上の利用可能性】
【００８１】
本発明は、家庭内等において物品を管理するためのものとして、好適に利用することができる。
【符号の説明】
【００８２】
１        識別ラベルセット（識別体セット）
１０      識別ラベル（識別体）
１０ａ    意匠面
１０ｂ    貼付面
１２      基材
１４      粘着層
１６      印刷層
２０      識別コード
２２      識別情報
３０      剥離紙
１００    端末装置
１７０    カメラ部
２００    物品管理アプリ
２１０    画像格納部
２２０    登録処理部
２３０    読取処理部
Ｂ        収容体
Ｃ        キャッシュカード
Ｇ        物品
Ｓ        物品管理システム
【要約】
【課題】本発明は、収容体に収容された物品を手軽に確認することができる識別体、物品管理システム、及び暗証番号管理システムの提供を目的とした。
【解決手段】本発明の識別ラベル１０は、物品Ｇを収容可能な収容体Ｂに取り付け可能な識別ラベル１０であって、印刷可能な基材１２を有し、基材１２に、光学的読み取り手段により読み取り可能な識別コード２０と、識別コード２０に対応する識別情報２２とが設けられており、識別コード２０は複数の種類が準備されており、複数の種類の識別コード２０にそれぞれ対応する識別情報２２が設けられている。
【選択図】図３【図１】
0006681636.tif 000002
【図２】
0006681636.tif 000003
【図３】
0006681636.tif 000004
【図４】
0006681636.tif 000005
【図５】
0006681636.tif 000006
【図６】
0006681636.tif 000007
【図７】
0006681636.tif 000008
【図８】
0006681636.tif 000009